(57)【特許請求の範囲】
【請求項１】
ＵＴＯＣ領域を有する固体メモリに入力信号をトラック単位で記録し再生する固体メモリ装置において、前記入力信号と同期したタイムコードを入力するタイムコード入力手段と、前記タイムコードから前記入力信号のトラックの先頭位置に対応する第１のタイムコード情報及び前記入力信号のトラックの終了位置に対応する第２のタイムコード情報を取得するタイムコード情報取得手段と、前記タイムコードの種類を判別するタイムコード判別手段と、固体メモリのＵＴＯＣ領域のトラックネーム情報を記録する領域に前記タイムコード情報取得手段が取得した前記第１のタイムコード情報及び前記第２のタイムコード情報を記録すると共に前記タイムコード判別手段が判別したタイムコードの種類を示す情報を記録するタイムコード情報記録手段を備えることを特徴とする固体メモリ装置。
【請求項２】
ＵＴＯＣ領域を有する固体メモリに入力信号をトラック単位で記録し再生する固体メモリ装置において、前記入力信号と同期したタイムコードを入力するタイムコード入力手段と、前記タイムコードから前記入力信号のトラックの先頭位置に対応する第１のタイムコード情報及び前記入力信号のトラックの終了位置に対応する第２のタイムコード情報を取得するタイムコード情報取得手段と、固体メモリのＵＴＯＣ領域のトラックネーム情報を記録する領域に前記タイムコード情報取得手段が取得した前記第１のタイムコード情報及び前記第２のタイムコード情報を記録する前記タイムコード情報記録手段と、前記タイムコード情報記録手段により固体メモリのＵＴＯＣ領域に記録された前記第１のタイムコード情報及び前記第２のタイムコード情報を読み出すタイムコード情報読み出し手段と、前記タイムコード情報読み出し手段が読み出した前記第１のタイムコード情報及び前記第２のタイムコード情報に基づいて前記タイムコード入力手段に入力したタイムコードと同じ種類のタイムコードを算出するタイムコード算出手段と、前記タイムコード算出手段が算出したタイムコードを出力するタイムコード出力手段とを備えることを特徴とする固体メモリ装置。
【請求項３】
請求項１記載の固体メモリ装置において、固体メモリのＵＴＯＣ領域に記録された前記タイムコードの種類を示す情報、前記第１のタイムコード情報及び前記第２のタイムコード情報を読み出すタイムコード情報読み出し手段と、前記タイムコード情報読み出し手段が読み出した前記タイムコードの種類を示す情報、前記第１のタイムコード情報及び前記第２のタイムコード情報に基づいて前記タイムコード入力手段に入力したタイムコードと同じ種類のタイムコードを算出するタイムコード算出手段と、前記タイムコード算出手段が算出した前記タイムコードを出力するタイムコード出力手段とを備えることを特徴とする固体メモリ装置。
【請求項４】
請求項３記載の固体メモリ装置において、前記タイムコードの種類を表示する表示手段を更に備えることを特徴とする固体メモリ装置。
【請求項５】
トラック単位で情報が記録される領域と該領域に記録された情報を管理する情報が記録されるＵＴＯＣ領域を有する固体メモリにおいて、前記ＵＴＯＣ領域はトラックの先頭位置に対応する第１のタイムコード情報、トラックの終了位置に対応する第２のタイムコード情報及びタイムコードの種類を示す情報が記録されていることを特徴とする固体メモリ。
【発明の詳細な説明】
【０００１】
【発明の属する技術分野】
本発明は、入力される信号に画像情報信号及び音声情報信号のようなフレーム毎にタイムコードを有する信号を固体メモリカード等のタイムコードを持たない記録再生装置で記録及び再生する場合に、元のタイムコードによる再生を可能に成す固体メモリ装置に関するものである。
【０００２】
【従来の技術】
固体メモリカードでは、時刻情報としてＵＴＯＣ（Ｕｓｅｒ  Ｔａｂｌｅ  Ｏｆ  Ｃｏｎｔｅｎｔｓ）を基に信号の記録再生が成されるが、ＶＴＲ等で記録再生される画像情報等の信号のフレーム毎に含まれるタイムコードを有する信号を固体メモリカードに記録し再生したとき、各フレーム毎に有するいわゆるタイムコード信号を記録再生し出力とすることはできなかった。
【０００３】
【発明が解決しようとする課題】
本発明は、タイムコード出力を持たない記録フォーマットの固体メモリカード等の固体メモリに記録する記録再生装置において、予め決められた、或いは、指定されたタイムコード信号出力を得るように成すことを目的とする。
【０００４】
【課題を解決するための手段】
本願の請求項１記載の発明は、
ＵＴＯＣ領域を有する固体メモリに入力信号をトラック単位で記録し再生する固体メモリ装置において、前記入力信号と同期したタイムコードを入力するタイムコード入力手段と、前記タイムコードから前記入力信号のトラックの先頭位置に対応する第１のタイムコード情報及び前記入力信号のトラックの終了位置に対応する第２のタイムコード情報を取得するタイムコード情報取得手段と、前記タイムコードの種類を判別するタイムコード判別手段と、固体メモリのＵＴＯＣ領域のトラックネーム情報を記録する領域に前記タイムコード情報取得手段が取得した前記第１のタイムコード情報及び前記第２のタイムコード情報を記録すると共に前記タイムコード判別手段が判別したタイムコードの種類を示す情報を記録するタイムコード情報記録手段を備えることを特徴とする。
【０００５】
本願の請求項２記載の発明は、
ＵＴＯＣ領域を有する固体メモリに入力信号をトラック単位で記録し再生する固体メモリ装置において、前記入力信号と同期したタイムコードを入力するタイムコード入力手段と、前記タイムコードから前記入力信号のトラックの先頭位置に対応する第１のタイムコード情報及び前記入力信号のトラックの終了位置に対応する第２のタイムコード情報を取得するタイムコード情報取得手段と、固体メモリのＵＴＯＣ領域のトラックネーム情報を記録する領域に前記タイムコード情報取得手段が取得した前記第１のタイムコード情報及び前記第２のタイムコード情報を記録する前記タイムコード情報記録手段と、前記タイムコード情報記録手段により固体メモリのＵＴＯＣ領域に記録された前記第１のタイムコード情報及び前記第２のタイムコード情報を読み出すタイムコード情報読み出し手段と、前記タイムコード情報読み出し手段が読み出した前記第１のタイムコード情報及び前記第２のタイムコード情報に基づいて前記タイムコード入力手段に入力したタイムコードと同じ種類のタイムコードを算出するタイムコード算出手段と、前記タイムコード算出手段が算出したタイムコードを出力するタイムコード出力手段とを備えることを特徴とする。
【０００６】
本願の請求項３記載の発明は、
請求項１記載の固体メモリ装置において、固体メモリのＵＴＯＣ領域に記録された前記タイムコードの種類を示す情報、前記第１のタイムコード情報及び前記第２のタイムコード情報を読み出すタイムコード情報読み出し手段と、前記タイムコード情報読み出し手段が読み出した前記タイムコードの種類を示す情報、前記第１のタイムコード情報及び前記第２のタイムコード情報に基づいて前記タイムコード入力手段に入力したタイムコードと同じ種類のタイムコードを算出するタイムコード算出手段と、前記タイムコード算出手段が算出した前記タイムコードを出力するタイムコード出力手段とを備えることを特徴とする。
【０００７】
本願の請求項４記載の発明は、
請求項３記載の固体メモリ装置において、前記タイムコードの種類を表示する表示手段を更に備えることを特徴とする。
【０００８】
本願の請求項５記載の発明は、
トラック単位で情報が記録される領域と該領域に記録された情報を管理する情報が記録されるＵＴＯＣ領域を有する固体メモリにおいて、前記ＵＴＯＣ領域はトラックの先頭位置に対応する第１のタイムコード情報、トラックの終了位置に対応する第２のタイムコード情報及びタイムコードの種類を示す情報が記録されていることを特徴とする。
【００１３】
【発明の実施の形態】
本発明の固体メモリ装置の一実施例を図面により説明する。図１は、本発明の一実施例の固体メモリ装置のブロック図で、図２はその要部を説明するためのブロック図である。本発明の固体メモリ装置に固体メモリカード１が矢印Ａ方向からローディングされカードインタフェイス２に装着されると、システムコントローラ３は、ＵＴＯＣ情報を読み出し、固体メモリカード１に記録された情報の目次等のトラックネーム情報を表示器８に表示する。
【００１４】
表示器８に表示された内容を見て、操作者はキー９を用いて操作入力を行う。表示された内容に従って、例えば２曲目の曲を選択し再生するには、キー９の数値指定キーにより２を入力することで記録された２曲目の曲を再生する。
【００１５】
システムコントローラ３は、予め読み取ったＤＲＡＭ（Ｄｙｎａｍｉｃ  Ｒａｎｄｏｍ  Ａｃｃｅｓｓ  Ｍｅｍｏｒｙ）７に記憶された情報から各トラックの先頭及びエンドのアドレス情報としてＵＴＯＣ情報を制御用のメモリに取り込んでおき、指定された２曲目の先頭番地へアクセスし、固体メモリカード１のプログラム領域に記録された所定の番地（ＴＯＣ）を求めサーチ動作を行いトラックの再生を開始する。
【００１６】
２曲目の曲の頭の位置から読み取られる信号は、バッファメモリコントローラ６を介しＤＲＡＭ７に記憶され所定の記憶量を保持しながらバッファメモリコントローラ６を介し時分割で読み出されＭＰＥＧ（Ｍｏｖｉｎｇ  Ｐｉｃｔｕｒｅ  Ｅｘｐｅｒｔｓ  Ｇｒｏｕｐ）エンコーダ・デコーダ５を介し元の連続信号に時間軸伸張され、音声信号はＤＡ変換器１２を介しアナログ信号として出力端１４から出力し、デジタル信号出力はそのまま出力端１４から出力される。
【００１７】
次に、図２及び図３を用いてタイムコードを固体メモリカードに記録する動作を説明する。本実施例の固体メモリ装置に入力される信号のうち、アナログ信号の音声信号又は画像信号等は、入力端１３からＡＤ変換器１１を介し入力される。又、デジタル信号は入力端１３から直接ＭＰＥＧエンコーダ・デコーダ５に入力され、信号の圧縮処理がなされてバッファメモリコントローラ６を介しＤＲＡＭ７へ一時記憶される。
【００１８】
ＤＲＡＭ７へ一時記憶されたデータは、バッファメモリコントローラ６を介して読み出され、固体メモリカード１の所定の位置へ順次時間軸圧縮されて記録される。
【００１９】
タイムコードデータが入力信号と同時に入力される場合、タイムコード入力端１５から入力されたタイムコードがタイムコード復調回路１０−１で復調される。
【００２０】
タイムコードのフォーマットは、ＩＥＣ規格  Ｐｕｂｌｉｃａｔｉｏｎ  ４６１で規定され、通常ＳＭＰＴＥ／ＥＢＵ（Ｓｏｃｉｅｔｙ  ｏｆ  Ｍｏｔｉｏｎ  Ｐｉｃｔｕｒｅ  ａｎｄ  ＴｅｌｅｖｉｓｉｏｎＥｎｇｉｎｅｅｒｓ／Ｅｕｒｏｐｅａｎ  Ｂｒｏａｄｃａｓｔｉｎｇ  Ｕｎｉｏｎ）タイムコードと呼ばれ、下記の種類がある。
【００２１】
▲１▼  ３０フレームドロツプフレームタイプ（ＮＴＳＣ方式のカラービデオ用）
▲２▼  ３０フレームノンドロップタイプＴＳＣ（モノクロームビデオ用）
▲３▼  ２５フレームノンドロップタイプ（ＥＢＵタイプ）（ＰＡＬ方式のビデオ用）
▲４▼  ２４フレームノンドロップタイプ（フィルムアプリケーション用）
タイムコードにドロップ処理がされているか否かについては、規格のタイムコードフォーマット８０ビットの中のＤＲＯＰ  ＦＲＡＭＥ  ＦＬＡＧの“１”または“０”を検出する。“１”の場合、ドロップフレームである。種類を検出するのに１秒間のフレーム数を計測する。または、フレーム値を比較し最大値を計測する方法がある。例えば、ＤＲＯＰ  ＦＲＡＭＥ  ＦＬＡＧが“１”で、最大フレーム値が３０の場合、３０フレームドロップフレームタイプとなる。これ等の種類を区別するために、例えば識別文字Ｂ，Ｃ，Ｄ，Ｅ，等の識別信号を付加し識別する。
【００２２】
タイムコード変換プロセッサ１０にてＳＭＰＴＥタイムコードから固体メモリ（ＳＯＬＩＤ  ＭＥＭＯＲＹ）用のタイムコードに変換がなされる。固体メモリカードのＴＯＣとタイムコードとをフレーム対応させて変換される。固体メモリカードの１フレームは、１フレームが８６．７Ｈｚとすると、例えばＮＴＳＣ（カラー映像）のタイムコードは２９．９７Ｈｚであり、固体メモリカード１の分解能の方が高いため、最大約±１１ｍｓの位相ずれに収まる。同期制御時における位相ずれ量は、リップシンク程度には支障がないレベルではある。厳密なタイムコード同期に対しては、位相ずれ情報を検出し、タイムコードの種類を区別する識別文字と共に補正情報が記録される。
【００２３】
変換されたタイムコードは、システムコントローラ３に入力され、記録開始タイミングやトラック番号が切り替わったタイミングで、ラッチ１０−４にて格納すべきスタートのタイムコードがラッチされる。また、記録終了タイミングやトラックが切り替わるタイミングで、ラッチ１０−４にてトラックネームとして格納すべきエンドのタイムコードがラッチされる。ラッチされたタイムコードは、タイムコード認識用文字コード“Ａ”と共にＵＴＯＣのトラックネームに記録される。
【００２４】
図３は、本実施例の個体メモリカードにおけるＵＴＯＣのネーム情報格納セクタのデータ構成の概念図を示す。ＵＴＯＣデータの内ネーム情報格納エリアであることを示すセクタナンバ“１”と、何のネームであるかを示すアイテムと、そのネームで基本構成がされる。ネームは、ＡＳＣＩＩ（Ａｍｅｒｉｃａｎ  Ｓｔａｎｄａｒｄ  Ｃｏｄｅ  Ｉｎｆｏｒｍａｔｉｏｎ  Ｉｎｔｅｒｃｈａｎｇｅ）コードで記録する。１つのカードネームと最大２５５トラックのネームを格納できることとする。特定したメモリ領域のＵＴＯＣ全体のキャパシティを１７９２文字であるとすると、各ネームの最大文字数は、１７９２文字であるが、各トラックに適当な文字数を予め分配して複数のトラックネームを格納できるようにする。
【００２５】
図３のトラックナンバ１（ＴＮＯ．１）のトラックネームは、“Ｐｒｅｌｕｄｅ”であり、“Ａ”以降に１６桁の数字が入っている場合タイムコード情報が入っていると判断する。“Ａ”以降の“１２００００００１２０２３０２５Ｂ”の内“１２００００００”がトラック先頭のタイムコードを表し、これは、１２時００分００秒００フレームであることを示す。“１２０２３０２５”がトラックの終わりのタイムコードを表し、１２ｈ０２ｍ３０ｓ２５ｆである。数字に続く“Ｂ”は、タイムコードの種類を表し、３０フレームドロップタイプである。
【００２６】
タイムコード情報を示すには、トラック当たり“Ａ”文字を含め１８文字必要である。固体メモリカードネームを含め１７９２文字の制約があるとすると、最大９９トラックにタイムコード情報を記録することができる。ネームの記録文字数のモニタと記録動作のリミッタを設けることで実用上の問題はない。
【００２７】
タイムコード情報は、ネーム情報格納エリアではなく、ＵＴＯＣエリアに専用に設けられたタイムコード情報格納エリアであってもかまわない。
【００２８】
図４は本実施例の個体メモリカードにおけるＵＴＯＣのタイムコード情報格納セクタのデータ構成の概念図である。タイムコード情報格納セクタに記録されるデータは、ＵＴＯＣデータの内タイムコード情報格納エリアであることを示すセクタコード“Ｘ”と、トラックナンバ（１〜２５５）と、それぞれのトラックの先頭のタイムコードと、それぞれのトラックの終わりのタイムコードと、タイムコードの種類を示す情報と、位相情報とで構成する。
【００２９】
位相情報は、入力したタイムコードのフレーム開始を起点とした固体メモリカードのアドレスの最小ユニット開始までの時間をサンプリングパルス数で表す。位相情報は、１２ビットで２の補数で極性を含め表す。位相情報については、位相ズレが無視できる場合は記録されなくても良い。位相補正制御情報を０にすれば、位相補正はしないものとする。タイムコード情報は、１桁を４ビットのＢＣＤ（Ｂｉｎａｒｙ  Ｃｏｄｅ  Ｄｅｃｉｍａｌ）コードで記録する。タイムコードの種類を３ビットで記録する。１トラック当たり１０バイトのデータとなり、タイムコード情報格納セクタに最大１６７トラックのタイムコード情報が記録できる。
【００３０】
固体メモリカード１から読み出されたトラックネームの先頭に“Ａ”がある場合は、その後に続くタイムコードをＴａとＴｂとすると、トラックネームにタイムコードＴａ及びＴｂが記録されたトラックの実時間長さがＴの場合、時間補正（Ｔｂ−Ｔａ）／Ｔの比率で動作クロック時間ｔを補正し、タイムコードＴａ＋（Ｔｂ−Ｔａ）／Ｔ×ｔをタイムコード変換プロセッサ１０−３にて計算する。変換されたタイムコードは、タイムコード変調回路１０−２にて変調しタイムコード出力端１６より出力する。
【００３１】
次に、本実施例の記録動作について説明する。記録される信号にタイムコードが付されて入力される場合の固体メモリカードへの記録動作について図５に基づき説明する。タイムコード入力端１５から入力されたタイムコード信号をタイムコード復調回路１０−１で復調し、ＳＭＰＴＥ／ＥＢＵタイムコードの規格のどれに相当するかを判別し、タイムコード入力がされない場合は通常の固体メモリカード１の記録を行う（Ｓ１）。
【００３２】
タイムコード変換プロセッサ１０−３及びシステムコントローラ３は、入力されたタイムコードをフレーム周期及びＤＲＯＰ  ＦＲＡＭＥ  ＦＬＡＧからタイムコードの種類を検出し、入力された信号を再生するとき、固体メモリカード１の記録フォーマットにて記録された信号を再生して元のタイムコードを得るかを調べＴＯＣとタイムコードの相対係数の記憶マップが作成される（Ｓ２）。
【００３３】
記録スタート又はストップを指示するキー９でスタートの指示がされると、システムコントローラ３は、これを検知する（Ｓ３）。タイムコード入力端１５から入力されるタイムコードと入力端１３から入力される入力信号が同期して入力され、入力信号はＭＰＥＧエンコーダ・デコーダ５でデータ圧縮処理がされてバッファメモリコントローラ６を介してＤＲＡＭ７へ記憶される。
【００３４】
システムコントローラ３は、ＤＲＡＭ７へ記憶された信号をバッファメモリコントローラ６を介し読み出し、カードインターフェイス２を介し固体メモリカード１へ記録を開始する（Ｓ４）。
【００３５】
固体メモリカード１のトラックへ記録が開始された記録信号に同期したタイムコードＴａがタイムコード変換プロセッサ回路１０のラッチ１０−４でラッチされる（Ｓ５）。
【００３６】
記録停止キーが押されるまで（Ｓ６）、トラックをインクリメントするキー９が操作されると（Ｓ７）、記録を継続し、トラックナンバをインクリメントし（Ｓ８）記録トラックを変える場合には、トラックエンドのタイムコードＴｂをラッチ１０−４でラッチし（Ｓ９）、タイムコードの種類識別符号と共にトラックの先頭のタイムコードＴａ及びトラックエンドのタイムコードＴｂをシステムコントローラ３内のメモリに記憶し、トラックがインクリメントされる毎にメモリに記憶される。
【００３７】
記録が終了し停止キーが押されるか、入力信号として停止符号が入力されるとシステムコントローラ３はこれを検知してトラックへの記録を停止する（Ｓ６）。
【００３８】
このとき、タイムコード変換プロセッサ回路１０は、トラックエンドのタイムコードＴｂをラッチ１０−４でラッチし、システムコントローラ３内のメモリへ記憶し、固体メモリカード１のＵＴＯＣをアクセスし、ＵＴＯＣ記録情報に付加してタイムコードであることを識別する文字、例えばＡと各トラックのタイムコードＴａ，Ｔｂ及びタイムコードの種類を識別するための識別文字、例えばＢ，Ｃ，Ｄ，Ｅ，のいずれかを付けて各トラックのトラックネームに付加し（Ｓ１１）、ＵＴＯＣへ記録をする（Ｓ１２）。
【００３９】
入力された記録信号は、時間軸圧縮されて固体メモリカード１の各トラックに記録され、固体メモリカード１の各トラックにはＴＯＣ情報として記録された信号の位置を検出することができるように成されているので、各トラックの最初と最後のタイムコードをＵＴＯＣへ記録することによって再生時に元の入力信号のタイムコードを再生することができる。
【００４０】
次に、本実施例の固体メモリ装置の再生動作について説明する。図６は、再生時のフローチャートである。固体メモリカード１がローディングされる（Ｓ１）と、固体メモリカード１に記録されたＵＴＯＣ情報を読み出し、バッファメモリコントローラ６を介しＤＲＡＭ７へ一時データを記憶する。システムコントローラ３は、読み出されたデータから各トラック毎のネーム情報をメモリへ取り込み記憶する（Ｓ２）。このとき、ネーム情報としてタイムコードであることを識別する識別文字Ａを検出し、又、タイムコードの種類を示す文字のＢ，Ｃ，Ｄ，Ｅ，が含まれているかどうかを検出し、出力すべきタイムコードの種類が何であるかを認識する（Ｓ３）。
【００４１】
出力すべきタイムコードが検出されないときは、通常の固体メモリカード再生を行う。出力すべきタイムコードが検出されたときは、システムコントローラ３のメモリへ各トラックの先頭及びエンドのタイムコードＴａ，Ｔｂ及び各トラックの全時間Ｔ及び識別文字を記憶し（Ｓ４）、再生スタンバイ状態とする。このときＵＴＯＣ情報を読み取ったシステムコントローラ３は表示器８へ目次情報等の記録内容の表示と共にタイムコードの種類等を表示する。
【００４２】
次に、表示器８の表示を見た操作者は、再生すべきトラックをキー９により入力し再生するトラックを指定する（Ｓ５）。システムコントローラ３は、再生すべきトラックが指定されると、指定されたトラックの頭のＴＯＣ位置へアクセスし、固体メモリカード１のトラックに記録された情報をＤＲＡＭ７へ読み出すと共に、タイムコードの種類を識別文字から判別してタイムコードフォーマットに従って出力すべき計算をタイムコード変換プロセッサ１０−３で開始し、再生信号の頭に付加されるタイムコードＴａがラッチ１０−５でラッチされ、タイムコード変調プロセッサ１０−２で入力された元のタイムコードに変調してタイムコード出力端１６から出力する（Ｓ６）。
【００４３】
この出力されるタイムコードはＶＴＲ等で記録される基準時刻に同期し、タイムコード入力端１５を介しシステムコントローラ３との間で相互に同期制御が成され再生された信号がＤＲＡＭ７から読み出されて出力され再生の動作が成される。
【００４４】
また、キー９の再生開始キーが押されるか、他の機器からタイムコード入力端１５に再生を指示する信号が入力される（Ｓ７）と、システムコントローラ３は、ＤＲＡＭ７からトラックの先頭データをバッファメモリコントローラ６を介してＭＰＥＧエンコーダ・デコーダ５へ送り圧縮されたデータを伸張し、ＤＡ変換器１２を介しアナログ信号出力又はデジタル信号出力を出力端１４から出力し再生を開始する（Ｓ８）。
【００４５】
再生が開始されると固体メモリカード１の基準クロックのタイムベースｔを基準としたＴＯＣ情報に従って固体メモリカード１から時間軸圧縮された信号が読み取られＭＰＥＧエンコーダ・デコーダ５で時間軸伸張及びデータ訂正等が成されＤＲＡＭ７に記憶される。タイムコードはトラックの先頭のタイムコードＴａと終わりを示すトラックエンドのタイムコードＴｂ及びトラックの全時間Ｔからタイムコード変換プロセッサ１０−３で記憶された演算係数によりＴａ＋（Ｔｂ−Ｔａ）／Ｔ・ｔの計算が成され、再生途中のタイムコードを刻々算出する（Ｓ９）。
【００４６】
タイムコード変換プロセッサ１０−３は、タイムコードの種類に応じフレーム毎又は所定の時刻毎に変換しタイムコード出力端１６からタイムコードを出力する。出力されるタイムコードは表示器８に表示され、バーグラフ等によりトラックのどの位置を再生中かを表示する（Ｓ１０）。
【００４７】
指定トラックの再生が終了するとスタンバイ状態となり、再生トラックが指定されるのを待つ。キー９の停止キーが押される（Ｓ１１）と、停止位置のタイムコードが計算されてタイムコード出力端１６より出力される（Ｓ１２）。
【００４８】
本実施例によれば、タイムコードを有する他の機器とのデータ信号の記録再生動作を元のタイムコードに合わせ計算し、出力することができるので、編集等データの整理を行うことができる。
【００４９】
又、編集に際してトラックの途中のデータをカットしトラックを接続する場合は、ＵＴＯＣ領域にカットしたＴＯＣ情報を記憶しトラックの全時間Ｔからフォーマットに従って差し引くことで算出することができる。
【００５０】
【発明の効果】
タイムコード算出に必要なトラックの頭又はトラックの頭及びエンドのタイムコードを記録するようにしたので、再生時にこれをもとに計算し、入力されたタイムコードのフォーマットに合わせてタイムコードの出力を行うことができる。また、タイムコード情報を少ない情報量で記録することができるので、固体メモリの限られたメモリ量に対して入力信号が記録されるメモリエリアを広くとることができる。
【図面の簡単な説明】
【図１】本発明の固体メモリ装置のブロック図。
【図２】要部を説明するためのブロック図。
【図３】個体メモリカードにおけるＵＴＯＣのネーム情報格納セクタのデータ構成の概念図。
【図４】個体メモリカードにおけるＵＴＯＣのタイムコード情報格納セクタのデータ構成の概念図。
【図５】記録時のフローチャート。
【図６】再生時のフローチャート。
【符号の説明】
１  固体メモリカード
２  カードインターフェイス
３  システムコントローラ
４  アドレス制御
５  ＭＰＥＧエンコーダ・デコーダ
６  バッファメモリコントローラ
７  ＤＲＡＭ
８  表示器
９  キー
１０  タイムコード変換プロセッサ回路
１１  ＡＤ変換器
１２  ＤＡ変換器
１３  入力端
１４  出力端
１５  タイムコード入力端
１６  タイムコード出力端
【図１】
0003595424.tif 000002
【図２】
0003595424.tif 000003
【図３】
0003595424.tif 000004
【図４】
0003595424.tif 000005
【図５】
0003595424.tif 000006
【図６】
0003595424.tif 000007